(57)【要約】【課題】インターネット網経由で音声通話するための電話交換に関わる一連の工程を、ポータル型にすることにより自動化すること。【解決手段】製造番号情報を含むＣＤ−ＲＯＭをパソコンにセットし、立ち上げることにより、パソコン自体をＩＰ電話機能のみが稼動する專用ＩＰ電話機に変え、ＩＰ通話用接続装置経由でポータル方式によりＩＰ電話端末間でＩＰ通話を接続できるようにする。また、同様にポータル方式により一般電話端末とＩＰ電話端末の通話を接続できるようにする。【選択図】図１
2005051723.tif 000002
【特許請求の範囲】
【請求項１】
インターネット網に接続することにより、インターネット網経由で音声通話することを可能とするＩＰ電話通話方式であって、パソコンで構成されるＩＰ電話専用端末と、当該ＩＰ電話端末がインターネット網に接続されている時のＩＰアドレスの割当状況を管理し、音声認識技術によりＩＰ通話及びＰＳＴＮ通話の２種類の通話を接続することができるＩＰ通話接続手段とを備えた事を特徴とするＩＰ電話通話方式。
【請求項２】
インターネット網に接続することにより、インターネット網経由で音声通話する時のＩＰ電話専用端末であって、スピーカ・マイク、サウンドカード、ＣＤ−ＲＯＭドライブを具備する汎用的なパーソナルコンピュータを使い、システム全体で重複しない製造番号を含むＣＤ−ＲＯＭプログラムで立ち上げることにより、ＩＰ電話機能のみが動作する専用化されたＩＰ電話端末にすることができる特徴をもつＩＰ電話専用端末。
【請求項３】
インターネット網に接続することにより、インターネット網経由で音声通話する時のＩＰ通話接続手段であって、ＩＰ電話端末のＩＰアドレス割当状況を管理するＩＰアドレス・データベースと、ＩＰ電話発ＩＰ電話着、ＩＰ電話発一般電話着、一般電話発ＩＰ電話着の３種類の通話間接続を、音声認識技術により可能とする音声処理ボードとを有することを特徴とするＩＰ通話接続手段。
【請求項４】
インターネット網に接続することにより、インターネット網経由で音声通話することを可能とするＩＰ電話通話方式のプログラムをコンピュータ上で動作させるために記録した記録媒体であって、汎用パソコンを専用ＩＰ電話端末にするための、製造番号を含むＣＤ−ＲＯＭプログラムと、ＩＰ電話端末がインターネット網に接続されている時のＩＰアドレスの割当状況を管理するＩＰアドレスデータベース管理プログラムと、ＩＰ電話発ＩＰ電話着、ＩＰ電話発一般電話着、一般電話発ＩＰ電話着の３種類の通話間接続を可能とする通話接続プログラムを記録した記録媒体。
【発明の詳細な説明】
【発明の詳細な説明】
【技術分野】
【０００１】    本発明は、インターネット網上で専用ＩＰ電話端末を通して２者間の音声通話を可能とするＩＰ電話通話方式、また、ＩＰ通話のための専用ＩＰ電話端末、ＩＰ通話機能の基本データとなるＩＰアドレス情報の管理方法、ＩＰ電話端末間及び一般電話機間で通話間接続するための通話接続方法に関する。
【背景技術】
【０００２】    一般に、インターネット網上においてコンピュータを使って２者間で音声通話をしようとした場合、音声通話機能を有したコンピュータを立ち上げること、着信先の電子メールアドレスを登録しておくこと、コンピュータ画面上で一般電話の発信先電話番号を入力することが必要であり、通話するための操作が煩雑であった。【０００３】    また一般に、コンピュータから一般電話へ発信するためには電気通信事業者の大規模装置と共通線信号網（ＳＳ７）の接続をすること、一般電話からコンピュータへ発信するためには情報通信事業者のＩＰアドレス管理装置と接続をすることが必要であり、接続方法が煩雑だった。【０００４】    例えば、コンピュータから一般電話に発信しようとした場合、発信者はコンピュータのインターネット通話アプリケーションを立ち上げること、インターネット電話の着信先ＩＰアドレスまたはＩＰアドレスに関連付けられた電子メールアドレスを画面上で入力すること、又は、一般電話網の着信先電話番号を画面上で入力することの煩雑な作業が必要だった。【０００５】    また例えば、一般電話公衆網からコンピュータへ発信しようとした場合、インターネット網上のコンピュータのＩＰアドレス割当状況を常時管理する装置を特別用意する必要があるため、現時点では未だ実稼動していない。
【発明が解決しようとする課題】
【０００６】    本発明は、ＩＰ電話端末を利用してインターネット網上の２者間で通話間接続し音声通話をする時に必要十分な事前作業の自動化を簡単に達成すること、また、インターネット網上のＩＰ電話端末と一般電話公衆網上の一般電話端末との間で通話間接続し音声通話する時に必要十分な事前作業の自動化を簡単に達成することを目的とする。
【課題を解決するための手段】
【０００７】    上記の問題点を解決するために、本発明は、インターネット網経由で音声をデータとして通信可能にすべく、パソコンをＩＰ電話端末に専用化し、当該端末のＩＰアドレスの割当状況を管理するデータベースを用意することにより、通話間の接続処理をするＩＰ通話接続手段とを設けることとしている。
【０００８】    そして、ＩＰ通話接続手段において、ＩＰ電話端末からの着信ＩＰ通話とＩＰ電話端末への発信ＩＰ通話を接続すること、ＩＰ電話端末からの着信ＩＰ通話と一般電話端末への発信ＰＳＴＮ通話を接続すること、及び、一般電話からの着信ＰＳＴＮ通話とＩＰ電話端末への発信ＩＰ通話を接続することができる。
【発明を実施するための最良の形態】
【０００９】    本発明は、システム全体で重複しない製造番号を情報として含むＣＤ−ＲＯＭプログラムで立ち上げることにより専用端末化できるＰ電話端末と、当該ＩＰ電話端末のＩＰアドレスを管理し、ＩＰ通話及びＰＳＴＮ通話両方の通話間接続をするＩＰ通話接続手段から構成される、ポータル型ＩＰ電話通話方式である。【００１０】    図１はポータル型ＩＰ電話システムのハードウェア構成図であり、図２はＩＰ電話から別のＩＰ電話へ発信した場合のポータル型ＩＰ電話システムの処理手順を表した状態図であり、図３はＩＰ電話から一般電話へ発信した場合のポータル型ＩＰ電話システムの処理手順を表した状態図であり、図４は一般電話からＩＰ電話へ発信した場合のポータル型ＩＰ電話システムの処理手順を表した状態図である。【００１１】    図５はＩＰ電話から別のＩＰ電話へ発信した場合のポータル型ＩＰ電話システムの処理手順を具体的に表した処理手順フローチャート図であり、図６はＩＰ電話から一般電話へ発信した場合のポータル型ＩＰ電話システムの処理手順を具体的に表した処理手順フローチャート図であり、図７は一般電話からＩＰ電話へ発信した場合のポータル型ＩＰ電話システムの処理手順を具体的に表した処理手順フローチャート図である。【００１２】    図８はＩＰ通話接続部におけるサブルーチン処理工程であるＩＰアドレス管理技法の処理手順の状態を表した状態図であり、図９はＩＰアドレス管理のＩＰアドレス登録工程及び登録完了通知工程に関する処理手順フローチャート図であり、図１０はＩＰアドレス管理のＩＰアドレス消込工程及び消込完了通知工程に関する処理手順フローチャート図であり、図１１はＩＰアドレス管理のＩＰアドレス検索工程及び検索結果通知工程に関する処理手順フローチャート図である。【００１３】    図１において図示されているように、インターネット網（２）上には複数のＩＰ電話端末Ａ（４）、Ｂ（５）が接続されており、一般公衆電話網（３）上には複数の一般電話端末（６）が接続されている。ＩＰ通話接続手段（１）はインターネット網（２）と一般公衆電話網（３）に接続されており、ＩＰ電話からＩＰ電話へ、ＩＰ電話から一般電話へ、一般電話からＩＰ電話への通話が可能である。【００１４】    ＩＰ電話専用端末として利用される機器は、ＣＤ−ＲＯＭドライブ、サウンドカード、スピーカ・マイクを具備する汎用パーソナルコンピュータであり、使い勝手を考慮して必要に応じて、スピーカ・マイクのピンジャックにハンドセット型スピーカ・マイク（９）、（１０）又は、ヘッドセット型スピーカ・マイクを取り付けたものである。【００１５】    パソコンのＢＩＯＳ設定において、ブート・ディスクとしてＣＤ−ＲＯＭを選択し、製造番号を含むＣＤ−ＲＯＭプログラムでＯＳ及びアプリケーションを立ち上げることにより、ＯＳ機能を画面上に出すことなくＩＰ電話機能だけが操作可能な専用化されたＩＰ電話端末にすることができる。必要なプログラムは、ＣＤ−ＲＯＭに書き込まれているため、消失することもなく、ハードディスク・ドライブ（ＨＤＤ）を必要とせず稼動させることができる。【００１６】    また、ＩＰ通話接続手段（１）はＩＰ電話番号と関連付けされたＩＰアドレス・デー���ベース（７）を保有し、ＩＰ電話端末のＩＰアドレスを管理するとともに、音声認識機能を持つ音声処理ボード（８）を保有し、ＩＰ通話及びＰＳＴＮ通話の通話間接続をする。ＩＰ通話に関しては、ＶｏＩＰ（ボイス・オーバー・アイピー）技術に基づいた通話に対応し、ＰＳＴＮ通話に関しては、アナログ、ＩＳＤＮのインターフェースに基づいた通話に対応している。【００１７】    図２において図示されているように、通話者Ａ（１１）がＩＰ電話端末Ａ（４）の画面に表示されている「発信ボタン」をクリックするか、または、「Ｅｎｔｅｒ」キーを押下すると、当該ＩＰ電話端末Ａ（４）はＩＰ通話を発信し、ＩＰ通話接続部へアクセスする。ＩＰ通話接続部は自動的に通話に応答し、ＩＰ通話が着信する。（図２の▲１▼を参照）【００１８】    次に、ＩＰ通話接続部は発信先のＩＰ電話番号を取得するために、音声ガイダンスで「発信先電話番号をどうぞ」と案内し、音声認識機能により発信通話者Ａ（１１）の発話から電話番号を取得する。発信先電話番号が音声認識でき次第、着信中のＩＰ通話を保留にする。（図２の▲２▼及び▲３▼を参照）【００１９】    そして、ＩＰ通話接続部（１）は、取得した発信先電話番号をキーとしてＩＰアドレス・データベースを検索し、該当するＩＰ電話端末のＩＰアドレスを取得する。ＩＰ通話接続部（１）は、取得されたＩＰアドレスに対して、別のＩＰ通話を発信する。（図２の▲４▼及び▲５▼を参照）【００２０】    発信されたＩＰ通話により、ＩＰ電話端末Ｂ（５）が鳴動し、通話者Ｂ（１２）が画面上の「応答ボタン」をクリックするか、または、「Ｅｎｔｅｒ」キーを押下することにより応答した時点で、保留中の着信ＩＰ通話を解除し、応答された発信ＩＰ通話と通話間接続し、２つの通話がＩＰ通話接続部を経由して通話可能な状態になる。（図２の▲６▼を参照）【００２１】    図３において図示されているように、通話者Ａ（１１）がＩＰ電話端末Ａ（４）の画面に表示されている「発信ボタン」をクリックするか、または、「Ｅｎｔｅｒ」キーを押下すると、当該ＩＰ電話端末Ａ（４）はＩＰ通話を発信し、ＩＰ通話接続部へアクセスする。ＩＰ通話接続部は自動的に通話に応答し、ＩＰ通話が着信する。（図３の▲１▼を参照）【００２２】    次に、ＩＰ通話接続部は発信先のＩＰ電話番号を取得するために、音声ガイダンスで「発信先電話番号をどうぞ」と案内し、音声認識機能により発信通話者Ａ（１１）の発話から電話番号を取得する。発信先電話番号が音声認識でき次第、着信中のＩＰ通話を保留にする。（図３の▲２▼及び▲３▼を参照）【００２３】    そして、ＩＰ通話接続部（１）は、取得した発信先電話番号が一般電話番号であることを判断して、一般電話へＰＳＴＮ通話を発信する。（図３の▲４▼及び▲５▼を参照）【００２４】    発信されたＰＳＴＮ通話により、一般電話端末（６）が鳴動し、通話者Ｃ（１３）が応答した時点で、保留中の着信ＩＰ通話を解除し、応答された発信ＰＳＴＮ通話と通話間接続し、２つの通話がＩＰ通話接続部を経由して通話可能な状態になる。（図３の▲６▼を参照）【００２５】    図４において図示されているように、通話者Ｃ（１３）が一般電話端末（６）からＩＰ通話接���部が持つ一般電話番号へ発信する。ＩＰ通話接続部は自動的に通話に応答し、ＰＳＴＮ通話が着信する。（図４の▲１▼を参照）【００２６】    次に、ＩＰ通話接続部は発信先のＩＰ電話番号を取得するために、音声ガイダンスで「発信先電話番号をどうぞ」と案内し、音声認識機能により発信通話者Ｃ（１３）の発話から電話番号を取得する。発信先電話番号が音声認識でき次第、着信中のＰＳＴＮ通話を保留にする。（図４の▲２▼及び▲３▼を参照）【００２７】    そして、ＩＰ通話接続部（１）は、取得した発信先電話番号をキーとしてＩＰアドレス・データベースを検索し、該当するＩＰ電話端末のＩＰアドレスを取得する。ＩＰ通話接続部（１）は、取得されたＩＰアドレスに対して、別のＩＰ通話を発信する。（図４の▲４▼及び▲５▼を参照）【００２８】    発信されたＩＰ通話により、ＩＰ電話端末Ａ（４）が鳴動し、通話者Ａ（１１）が画面上の「応答ボタン」をクリックするか、または、「Ｅｎｔｅｒ」キーを押下することにより応答した時点で、保留中の着信ＰＳＴＮ通話を解除し、応答された発信ＩＰ通話と通話間接続し、２つの通話がＩＰ通話接続部を経由して通話可能な状態になる。（図４の▲６▼を参照）【００２９】    図５において図示されているように、ＩＰ電話端末の「Ｅｎｔｅｒ」キーを押下するか、又は、画面上の「発信」ボタンをクリックすることにより、ＩＰ通話を発信することから処理が開始される。（図５のＳ００１を参照）【００３０】    ＩＰ通話接続部にＩＰ通話が着信すると、ＩＰ通話接続部は自動的に応答し、「発信先の電話番号をどうぞ」という音声ガイダンスを流し、電話番号を音声認識するための準備をする。（図５のＳ００２を参照）【００３１】    発信者は発信先のＩＰ電話番号を声で発話することにより、電話番号を入力する。音声認識処理が正常に行われ、発信先の番号が取り込まれた時点で次のステップへ進む。（図５のＳ００３を参照）【００３２】    発信先の電話番号が認識されると、「発信先へ発呼いたします」と音声ガイダンスを流した後に、着信中のＩＰ通話を一時保留にし、音声認識された発信先電話番号のロジックチェックを実行する。（図５のＳ００４を参照）【００３３】    「発信先電話番号がＩＰ電話番号か？」のロジックチェックを実行し、一般電話番号であった場合には、図６のフローチャートで示されている処理に従う。ＩＰ電話番号であった場合には、以下のフローに進む。（図５のＳ００５、Ｓ００６を参照）【００３４】    発信先電話番号がＩＰ電話番号であるときの処理として、音声認識されたＩＰ電話番号がＩＰアドレス・データベースに存在するかどうかをチェックする。存在しない場合は、保留中ＩＰ通話を解除し、「指定されたＩＰ電話番号が存在しません」という音声ガイダンスを流し、着信中ＩＰ通話を終了する。（図５のＳ００７、Ｓ００８を参照）【００３５】    発信先ＩＰ電話番号がデータベースに存在するときの処理として、該当するＩＰ電話番号が接続されているＩＰアドレスが存在するかどうかをチェックする。存在しない場合は、保留中ＩＰ通話を解除し、「指定された番号のＩＰ電話にはＩＰアドレスが、現在、接続登録されていません」という音声ガイダンスを流し、着信中ＩＰ通話を終了する。（図５のＳ００９、Ｓ０１０を参照）【００３６】    発信先ＩＰ電話のＩＰアドレスが検索されたときの処理として、ＩＰ通話接続部は、該当するＩＰアドレスに別にＩＰ通話を発信し、発信先のＩＰ電話が鳴動するかどうかをチェックする。（図５のＳ０１１、Ｓ０１２を参照）【００３７】    発信先のＩＰ電話が鳴動しなかったときの処理として、保留中のＩＰ通話を解除し、「指定された番号のＩＰ電話は、現在、着信可能状態ではありません」という音声ガイダンスを流し、着信中ＩＰ通話を終了する。（図５のＳ０１３を参照）【００３８】    発信先のＩＰ電話が鳴動したときの処理として、電話利用者がＩＰ電話に応答した時点で、保留中のＩＰ通話を解除し、保留解除された着信ＩＰ通話と応答した発信ＩＰ通話を通話間接続して、通話セットアップを完了とする。（図５のＳ０１４、Ｓ０１５を参照）【００３９】    図６において図示されているように、ＩＰ電話端末の「Ｅｎｔｅｒ」キーを押下するか、又は、画面上の「発信」ボタンをクリックすることにより、ＩＰ通話を発信することから処理が開始される。（図６のＳ１０１を参照）【００４０】    ＩＰ通話接続部にＩＰ通話が着信すると、ＩＰ通話接続部は自動的に応答し、「発信先の電話番号をどうぞ」という音声ガイダンスを流し、電話番号を音声認識するための準備をする。（図６のＳ１０２を参照）【００４１】    発信者は発信先のＩＰ電話番号を声で発話することにより、電話番号を入力する。音声認識処理が正常に行われ、発信先の番号が取り込まれた時点で次のステップへ進む。（図６のＳ１０３を参照）【００４２】    発信先の電話番号が認識されると、「発信先へ発呼いたします」と音声ガイダンスを流した後に、着信中のＩＰ通話を一時保留にし、音声認識された発信先電話番号のロジックチェックを実行する。（図６のＳ１０４を参照）【００４３】    「発信先電話番号が一般の電話番号か？」のロジックチェックを実行し、ＩＰ電話番号であった場合には、図５のフローチャートで示されている処理に従う。一般電話番号であった場合には、以下のフローに進む。（図６のＳ１０５、Ｓ１０６を参照）【００４４】    発信先電話番号が一般電話のときの処理として、ＩＰ通話接続部は、該当する電話番号にＰＳＴＮ通話を発信し、発信先の一般電話が鳴動するかどうがをチェックする。（図６のＳ１０７、Ｓ１０８を参照）【００４５】    発信先の一般電話が鳴動しなかったときの処理として、保留中のＩＰ通話を解除し、「指定された番号の一般電話は、現在、着信可能状態ではありません」という音声ガイダンスを流し、着信中ＩＰ通話を終了する。（図６のＳ１０９を参照）【００４６】    発信先の一般電話が鳴動したときの処理として、電話利用者が一般電話に応答した時点で、保留中のＩＰ通話を解除し、保留解除された着信ＩＰ通話と応答した発信ＰＳＴＮ通話を通話間接続して、通話セットアップを完了とする。（図６のＳ１１０、Ｓ１１１を参照）【００４７】    図７において図示されているように、一般電話端末からＰＳＴＮ通話を発信することから処理が開始される。（図７のＳ２０１を参照）【００４８】    ＩＰ通話接続部にＰＳＴＮ通話が着信すると、ＩＰ通話接続部��自動的に応答し、「発信先の電話番号をどうぞ」という音声ガイダンスを流し、電話番号を音声認識するための準備をする。（図７のＳ２０２を参照）【００４９】    発信者は発信先のＩＰ電話番号を声で発話するか、又は、プッシュ信号で入力することにより、電話番号を入力する。音声認識処理、又は、ＤＴＭＦ認識が正常に行われ、発信先の番号が取り込まれた時点で次のステップへ進む。（図７のＳ２０３を参照）【００５０】    発信先の電話番号が認識されると、「発信先へ発呼いたします」と音声ガイダンスを流した後に、着信中のＰＳＴＮ通話を一時保留にし、認識された発信先電話番号のロジックチェックを実行する。（図７のＳ２０４を参照）【００５１】    認識されたＩＰ電話番号がＩＰアドレス・データベースに存在するかどうかをチェックする。存在しない場合は、保留中ＰＳＴＮ通話を解除し、「指定されたＩＰ電話番号が存在しません」という音声ガイダンスを流し、着信中ＰＳＴＮ通話を終了する。（図７のＳ２０５、Ｓ２０６を参照）【００５２】    発信先ＩＰ電話番号がデータベースに存在するときの処理として、該当するＩＰ電話番号が接続されているＩＰアドレスが存在するかどうかをチェックする。存在しない場合は、保留中ＰＳＴＮ通話を解除し、「指定された番号のＩＰ電話にはＩＰアドレスが、現在、接続登録されていません」という音声ガイダンスを流し、着信中ＰＳＴＮ通話を終了する。（図７のＳ２０７、Ｓ２０８を参照）【００５３】    発信先ＩＰ電話のＩＰアドレスが検索されたときの処理として、ＩＰ通話接続部は、該当するＩＰアドレスにＩＰ通話を発信し、発信先のＩＰ電話が鳴動するかどうかをチェックする。（図７のＳ２０９、Ｓ２１０を参照）【００５４】    発信先のＩＰ電話が鳴動しなかったときの処理として、保留中のＰＳＴＮ通話を解除し、「指定された番号のＩＰ電話は、現在、着信可能状態ではありません」という音声ガイダンスを流し、着信中ＰＳＴＮ通話を終了する。（図７のＳ２１１を参照）【００５５】    発信先のＩＰ電話が鳴動したときの処理として、電話利用者がＩＰ電話に応答した時点で、保留中のＰＳＴＮ通話を解除し、保留解除された着信ＰＳＴＮ通話と応答した発信ＩＰ通話を通話間接続して、通話セットアップを完了とする。（図７のＳ２１２、Ｓ２１３を参照）【００５６】    図８において図示されているように、ＩＰアドレス管理方法はＩＰアドレス登録工程と登録完了通知工程からなるＩＰ電話接続登録処理と、ＩＰアドレス消込工程と消込完了通知工程からなるＩＰ電話切断確認処理と、ＩＰアドレス検索工程と検索結果通知工程からなるＩＰ通話発信前処理とからなる。【００５７】    ＩＰ電話接続登録処理では、ＩＰ電話端末がＩＰ通話接続部に接続されたときの登録処理と以降ＩＰ通話接続部に接続されるたびに行われる最新ＩＰアドレス書き込みの処理と、書き込み処理が正常に完了されたことをＩＰ電話端末へ通知する処理を行う。（図８の▲１▼、▲２▼を参照）【００５８】    ＩＰ電話切断確認処理では、ＩＰ電話端末の終了時にＩＰ通話接続部から切断されたときの消込処理と、消し込み処理が正常に完了されたことをＩＰ電話端末へ通知する処理を行う。（図８の▲３▼、▲４▼を参照���【００５９】    ＩＰ通話発信前処理では、ＩＰ電話番号をキーとして選択された着信先のＩＰ電話端末の最新ＩＰアドレスをデータベースから検索する処理と、検索結果であるＩＰアドレスを、ＩＰ通話接続部で稼動中の通話接続アプリケーションへ送出する処理を行う。（図８の▲５▼、▲６▼を参照）【００６０】    ＩＰアドレス・データベースでは、非公開情報としてＩＰ電話端末にセットされたＣＤ−ＲＯＭの固有の製造番号及び当該端末がインターネットに接続された時のＩＰアドレス情報を格納するエリアと、公開情報としてＩＰ電話端末の所有者情報及び当該端末固有に採番されたＩＰ電話番号を格納するエリアとがある。【００６１】    図９において図示されているように、ＣＤ−ＲＯＭをセットし、パソコンを立ち上げることにより、ＩＰ電話はインターネット網経由にてデータ伝送できるように接続され、ＩＰ通話接続部内のＩＰアドレス・データベースにアクセスすることにより固有の製造番号をキーとして検索する。（図９のＳ３０１、Ｓ３０２を参照）【００６２】    データベース内に該当するＣＤ−ＲＯＭの製造番号が存在しない場合、当該製造番号と新たに自動採番された固有のＩＰ電話番号を新規登録する必要がある旨をＩＰ電話端末に表示して、終了する。（図９のＳ３０３、Ｓ３０４を参照）【００６３】    当該製造番号が存在する場合、既にＩＰアドレスが登録されていないかどうかをさらにチェックし、既登録の場合は、ＣＤ−ＲＯＭが複製されたと判断し、ＩＰアドレス欄に無効処理を施して利用できないように設定し、ＩＰ電話端末にその旨通知して終了する。（図９のＳ３０５、Ｓ３０６を参照）【００６４】    インターネット網に接続した時のＩＰアドレスをデータベース上のＩＰアドレス欄に、また、ＩＰ電話に設定されている所有者情報を所有者情報欄に書き込む。以上の処理をＩＰアドレス登録工程とする。（図９のＳ３０７及び▲１▼を参照）【００６５】    ＩＰアドレスの登録工程が完了すると、正常に完了したことをＩＰ電話端末に通知する。以上の処理を登録完了通知工程とする。（図９のＳ３０８及び▲２▼を参照）【００６６】    図１０において図示されているように、パソコンの操作によりＩＰ電話アプリケーションの終了指示を受けると、ＩＰアドレスの消し込み処理を開始する。（図１０のＳ４０１を参照）【００６７】    ＩＰ電話端末のアプリケーションはＩＰアドレス・データベースへアクセスし、ＣＤ−ＲＯＭ製造番号をキーとして検索し、ＩＰアドレスが登録されているかを確認する。ＩＰアドレスを検知すると、当該ＩＰアドレス欄を初期化し、消し込み処理をする。以上の処理をＩＰアドレス消込工程とする。（図１０のＳ４０２、Ｓ４０４及び▲３▼を参照）【００６８】    ＩＰアドレスが登録されていない場合、何らかのデータ不整合が発生したことをＩＰ電話端末に表示して、終了する。また、消し込み処理が正常に終了した場合でも、同様に正常終了したことをＩＰ電話端末に通知して終了する。以上の処理を消込完了通知工程とする。（図１０のＳ４０３、Ｓ４０５、及び▲４▼を参照）【００６９】    図１１において図示されているように、本フローはＩＰ通話接続部において、ＩＰ通話を発信する前に行われる処理��あり、ＩＰ通話接続部内で稼動するＩＰ通話接続アプリケーションから検索要求を受付けることから始まる。（図１１のＳ５０１を参照）【００７０】    ＩＰ通話接続アプリケーションからＩＰ電話番号を取得し、ＩＰ電話番号をキーとして、該当するＩＰ電話番号がＩＰアドレス・データベースに存在するかどうかをチェックする。存在しない場合の処理として、該当番号無しを意味する戻り値をＩＰ接続アプリケーションへ通知する。当該アプリケーションはそれを受けて、その旨、音声ガイダンスを流すことになる。（図１１のＳ５０２、Ｓ５０３を参照）【００７１】    発信先ＩＰ電話番号がデータベース内に存在する場合は、次に、関連付けされたＩＰアドレス欄に情報があるかどうかをチェックする。ＩＰアドレス欄にＩＰアドレス情報が存在しない場合、発信先のＩＰ電話端末が接続状態ではないことを意味する戻り値をＩＰ接続アプリケーションへ通知する。当該アプリケーションはそれを受けて、その旨、音声ガイダンスを流すことになる。（図１１のＳ５０４、Ｓ５０５を参照）【００７２】    該当するＩＰアドレスが存在する場合、ＩＰアドレスを取得する。以上の処理をＩＰアドレス検索工程とする。（図１１のＳ５０６及び▲５▼を参照）【００７３】    最後に、検索結果であるＩＰアドレスをＩＰ通話接続アプリケーションへ通知して、終了とする。以上の処理を検索結果通知工程とする。（図１１のＳ５０７及び▲６▼を参照）
【実施例】
【００７４】    実施例として、ＩＰ電話端末の立ち上げから始まり、ＩＰ通話の発信可能状態後のＩＰ通話セットアップ、ＩＰ通話の接続、そして、ＩＰ通話を切断、及び、ＩＰ電話端末の終了までの一連の流れを、図２を参照し、説明する。【００７５】    まず、パソコンにＩＰ電話プログラムを書き込んだＣＤ−ＲＯＭをセットし、ＢＩＯＳ設定で自動ブートすることにより、ＣＤ−ＲＯＭ上にあるＩＰ電話プログラムがパソコン内のメモリーに展開され、パソコン自体が専用のＩＰ電話端末Ａ（４）として利用可能になる。ＯＳ及びプログラムとしては常にＣＤ−ＲＯＭ上のソフトウェアを利用するため、ハードディスク（ＨＤＤ）はなくとも利用可能となる。ＩＰ通話接続部が該当するＵＲＬもＣＤ−ＲＯＭに書き込まれている。【００７６】    ＩＰ電話端末Ａ（４）が立ち上げ完了時には、パソコン自体が専用のＩＰ電話になっており、ＯＳに関連する機能は一切画面には表示されない。画面には、基本的な操作となる、「発信ボタン」と「着信ボタン」があり、発信ボタンによりＩＰ通話接続部へアクセスし、通話セットアップが開始され、また、通話着信時には、着信ボタンにより応答できる。【００７７】    ＩＰ電話端末Ａ（４）から発信する場合、通話者Ａ（１１）が画面上の「発信ボタン」をクリックすると、ＩＰ通話が発信されＩＰ通話接続部（１）へつながると同時に、「発信先のＩＰ電話番号をどうぞ」という音声ガイダンスがながれ、ＩＰ電話端末本体のスピーカまたは、スピーカ端子につながれたハンドセット（９）のスピーカから声が聞こえる。【００７８】    通話者Ａ（１１）はアナウンスを聞いた後、ＩＰ電話端末本体Ａ（４）のマイクまたは、マイク端子につながれたハンドセット（９）のマイクに対して、相手先の電話番号を、「０５０−１２３４−５６７８（ゼロゴーゼロ、イチニイサンシイ、ゴーロクシチハチ）」のように発話する。【００７９】    発話された音声が正常に認識されると、「これからおつなぎ致します。そのままで、お待ちください。」と音声案内が流れ、ＩＰ通話接続部（１）は別のＩＰ通話の発信動作に入る。【００８０】    ＩＰ通話接続部（１）からのＩＰ通話発信時に起こりえる状態として、次の場合が考えられる。第１に、該当するＩＰ電話端末の電話番号がない。第２に、該当電話番号はあるが立ち上げられていない。第３に、該当するＩＰ電話端末は接続されているが反応がない。第４に、該当するＩＰ電話端末が鳴動している。以上の４種類の状態によって、ＩＰ通話接続部は異なった動作をする。【００８１】    該当するＩＰ電話端末の電話番号がない状態は、ＩＰアドレス・データベース（７）において、発信先ＩＰアドレス検索時に、該当するＩＰ電話番号がデータベースにないときに発生する状態である。【００８２】    該当電話番号はあるが立ち上げられていない状態は、ＩＰアドレス・データベース（７）において、発信先ＩＰアドレス検索時に、該当するＩＰアドレスがデータベースにないときに発生する状態である。【００８３】    該当するＩＰ電話端末は接続されているが反応がない状態は、ＩＰアドレスが検索できた後、ＩＰ通話を発信したときに、発信先のＩＰ電話端末Ｂ（５）から全く応答がないときに発生する状��である。【００８４】    該当するＩＰ電話端末が鳴動している状態は、ＩＰアドレスが検索できた後に、ＩＰ通話を発信した時に、発信先のＩＰ電話端末Ｂ（５）が応答し、利用者に知らせている状態である。【００８５】    発信先のＩＰ電話端末Ｂ（５）が鳴動すると、一般電話が鳴っている状態と同様であり、通話者Ｂ（１２）に着信通話があることを知らせている。この通話に通話者Ｂ（１２）が応答するためには、画面上の「着信ボタン」をクリックすることにより、応答通話することが可能になる。【００８６】    ＩＰ通話接続部（１）が発信した着信先ＩＰ電話端末Ｂ（５）が通話に応答すると同時に、ＩＰ通話接続部（１）は発信元ＩＰ電話端末Ａ（４）からのＩＰ通話と着信先ＩＰ電話端末Ｂ（５）へのＩＰ通話を音声処理ボード上で接続し、２つのＩＰ電話端末が通話可能になる。【００８７】    以上の一連の動作を応用することにより、ＩＰ電話からＩＰ電話だけでなく、ＩＰ電話から一般電話へ、また、一般電話からＩＰ電話への通話が可能となっている。
【発明の効果】
【００８８】    本発明は、以上説明したような形態で実施され、以下に記載されるような効果を奏する。
【００８９】    第１に、本発明のシステムでは、ＩＰ電話端末として汎用パソコンを利用しており、専用のハードウェアを必要としないため、機器の調達が容易である。また、ハードディスク（ＨＤＤ）を利用しないため、故障が少ない。
【００９０】    第２に、本発明のシステムでは、ＩＰ電話端末の立ち上げ用ディスクとしてＣＤ−ＲＯＭを利用しており、データが消失することなく、セキュリティに強く、また、ＣＤ−ＲＯＭは交換できるため、プログラム更新時でもハードウェアを無駄にすることなく対応することができる。
【００９１】    第３に、本発明のシステムでは、ＩＰ電話端末の立ち上げ用ディスクとしてＣＤ−ＲＯＭを利用しており、ＣＤ−ＲＯＭ上には製造番号が書き込まれているほか、ＯＳ機能を利用者に露呈しないソフトウェア構造のため、専用化されたＩＰ電話端末として使用できる。
【００９２】    第４に、本発明のシステムでは、ＩＰ通話はすべて、ＩＰ通話接続部経由で通話するように呼制御されており、ＩＰ電話端末から別のＩＰ電話端末への直接的なＩＰ通話ではないため、ＩＰ通話接続部において呼制御が安定して動作する。また、様々な呼制御が可能である。たとえば、ＩＰ会議通話などが簡単に実現できる。
【００９３】    第５に、本発明のシステムでは、ＩＰ通話接続部において、ＩＰ通話だけでなく、一般電話端末用のＰＳＴＮ通話も呼制御可能であるため、ＩＰ通話もＰＳＴＮ通話も全く同様の処理方法で呼制御可能である。また、共通線信号網（ＳＳ７）との接続を必要としないＩＰゲートウェイとしても機能することができる。
【００９４】    第６に、ＩＰ電話からＩＰ電話への受発信が可能となっており、一般にインターネット網は常時接続料金制があるので、距離及び通話量に関係なく通話料金を一定にすることができる。
【００９５】    第７に、ＩＰ電話から一般電話への発信が可能となっており、結果的にＩＰ通話接続部から一般電話までの一般通話部分は市内通話にすることが可能なので、通話料金を低減することができる。
【００９６】    第８に、一般電話からＩＰ電話への発信が可能となっており、ＩＰ電話番号がＣＤ−ＲＯＭ上の製造番号と関連付けられているため、ＩＰ電話端末とインターネット網との接続点の場所にかかわらず、決まったＩＰ電話端末に決まったＩＰ電話番号で着信させることができる。
【００９７】    第９に、本発明のＩＰ電話交換方式は基軸通信網としてインターネット網を利用しており、一般普及したネットワークを利用できるので、通信料金を低く抑えることができる。
【００９８】    第１０に、本発明のＩＰ電話交換方式は基軸通信網としてインターネット綱を利用しており、ＩＰ電話端末、ＩＰ通話接続部を様々な場所で設置が可能なので、簡単に設置場所の移動をすることができる。
【図面の簡単な説明】
【図１】    ポータル型ＩＰ電話システムのハードウェア構成図である。
【図２】    ポータル型ＩＰ電話システムのＩＰ電話発ＩＰ電話着の処理手順状態図である。
【図３】    ポータル型ＩＰ電話システムのＩＰ電話発一般電話着の処理手順状態図である。
【図４】    ポータル型ＩＰ電話システムの一般電話発ＩＰ電話着の処理手順状態図である。
【図５】    ポータル型ＩＰ電話システムのＩＰ電話発ＩＰ電話着の処理手順フローチャート図である。
【図６】    ポータル型ＩＰ電話システムのＩＰ電話発一般電話着の処理手順フローチャート図である。
【図７】    ポータル型ＩＰ電話システムの一般電話発ＩＰ電話着の処理手順フローチャート図である。
【図８】    ＩＰアドレス管理に関する処理手順状態図である。
【図９】    ＩＰアドレス管理に関するＩＰ電話接続登録の処理手順フローチャート図である。
【図１０】    ＩＰアドレス管理に関するＩＰ電話切断確認の処理手順フローチャート図である。
【図１１】    ＩＰアドレス管理に関するＩＰ通話発信前の処理手順フローチャート図である。
【符号の説明】
１  ＩＰ通話接続部
２  インターネット網
３  一般電話網
４  ＩＰ電話端末（Ａ）
５  ＩＰ電話端末（Ｂ）
６  一般電話端末
７  ＩＰアドレス・データベース
８  音声処理ボード
９  スピーカ・マイク接続用ハンドセット
１０  スピーカ・マイク接続用ハンドセット
１１  電話通話者（Ａ）
１２  電話通話者（Ｂ）
１３  電話通話者（Ｃ）
【図１】
2005051723.tif 000003
【図２】
2005051723.tif 000004
【図３】
2005051723.tif 000005
【図４】
2005051723.tif 000006
【図５】
2005051723.tif 000007
【図６】
2005051723.tif 000008
【図７】
2005051723.tif 000009
【図８】
2005051723.tif 000010
【図９】
2005051723.tif 000011
【図１０】
2005051723.tif 000012
【図１１】
2005051723.tif 000013